(57)【特許請求の範囲】
【請求項１】
タバコのスイングオープン式の硬いパケット（１）を製造するための、パッキング方法であって、
前記硬いパケット（１）は、
包装されたタバコのグループをそれぞれ内包している、２つの内部パッケージ（２）と、
前記内部パッケージ（２）をそれぞれ収納し、内部素材（１７）を折りたたむことにより形成される、２つの内部容器（３）と、
前記２つの内部容器（３）を収納し、２つの開いた側端部（１３）を有し、外部素材（２４）を折りたたむことにより形成される、外部容器（４）であって、前記外部素材（２４）が、
底部壁（１１）を形成する、第１のパネル（１１’）と、
１つの側部壁（１２）を形成する、第２のパネル（１２’）と、
上部壁（１０）を形成する、第３のパネル（１０’）と、
他の側部壁（１２）を形成する、第４のパネル（１２”）と、を有しており、
前記第１のパネル（１１’）が、各縦方向折りたたみ線（２５）により前記第１のパネル（１１’）から分離されている２つの接続タブ（２８）を有しており、
前記第２のパネル（１２’）が、各縦方向折りたたみ線（２５）により前記第２のパネル（１２’）から分離されている２つの第１の保持タブ（１６）を有しており、および、前記第４のパネル（１２”）が、各縦方向折りたたみ線（２５）により前記第４のパネル（１２”）から分離されている２つの第２の保持タブ（１６）を有しており、
前記第３のパネル（１０’）が、各縦方向折りたたみ線（２５）により前記第３のパネル（１０’）から分離されている２つの内部フラップ（２７）を有している、外部容器（４）と、
各前記内部容器（３）を前記外部容器（４）にそれぞれ接続し、前記第１のパネル（１１’）において形成されて、前記内部容器（３）が前記外部容器（４）の内部に挿入される閉じた位置と、前記内部容器（３）が前記外部容器（４）から少なくとも部分的に引き出される開いた位置と、の間で、前記内部容器（３）が回転することを可能にする、２つの接続蝶番（１４）と、
を備え、
前記パッキング方法は、
前記２つの内部パッケージ（２）を、第１のパッキングユニット（４０）上に形成するステップと、
前記２つの内部パッケージ（２）を、前記内部素材（１７）それぞれの上に置くステップと、
各前記内部素材（１７）を、各前記内部パッケージ（２）の周りで折りたたんで、前記内部容器（３）を、第２のパッキングユニット（４３）上に形成するステップと、
前記２つの内部容器（３）を、前記外部素材（２４）上に並べて置くステップと、
前記外部素材（２４）を、前記２つの内部容器（３）の周りで折りたたんで、前記外部容器（４）を、第３のパッキングユニット（４４）上に形成するステップと、
を備え、
前記パッキング方法が、前記第１のパネル（１１’）が前記内部容器（３）の前記底部壁（６）上に前記第２のパネル（１２’）に対して９０°折りたたまれるときに、前記２つの内部容器（３）の後部壁（８）の間にスペーサ（６６）を挿入するステップを、更に備える、ことを特徴とする、
パッキング方法。
【請求項２】
前記第１のパネル（１１’）が、前記外部容器（４）の前記底部壁（１１）の内部部分を形成し、
前記外部素材（２４）が、第５のパネル（１１”）を備え、前記第５のパネル（１１”）が、前記底部壁（１１）の外部部分を形成し、前記第１のパネル（１１’）上に重ねられて前記第１のパネル（１１’）に接着される、請求項１に記載のパッキング方法。
【請求項３】
前記外部素材（２４）を、前記２つの内部容器（３）の周りで前記折りたたむステップが、
前記外部素材（２４）と前記２つの内部容器（３）とを、パッキングコンベア（６１）のパッキングポケット（６２）内に挿入するステップと、
前記外部素材（２４）を、前記２つの内部容器（３）の周りで「Ｕ字形」に折りたたみ、前記第１のパネル（１１’）が、各前記内部容器（３）の底部壁（６）上に静止して置かれ、前記第３のパネル（１０’）が、各前記内部容器（３）の上部壁（３１）に面するようにするステップと、
前記第４のパネル（１２”）を、各前記内部容器（３）の側部壁（９）上に、前記第３のパネル（１０’）に対して９０°折りたたむステップと、
前記第５のパネル（１１”）を、前記既に折りたたまれている第１のパネル（１１’）上に、前記第４のパネル（１２”）に対して９０°折りたたむステップと、
を更に備える、
請求項２に記載のパッキング方法。
【請求項４】
前記外部素材（２４）を、前記内部容器（３）の周りで前記折りたたむステップが、
前記第１のパネル（１１’）を前記第２のパネル（１２’）に対して９０°折りたたむ前に、前記接続タブ（２８）、または各前記内部容器（３）の底部壁（６）に、糊を塗布するステップと、
前記第５のパネル（１１”）を、前記既に折りたたまれている第１のパネル（１１’）上に、前記第４のパネル（１２”）に対して９０°折りたたむ前に、前記第５のパネル（１１”）、または第１のパネル（１１’）に、糊を塗布するステップと、
を更に備える、
請求項３に記載のパッキング方法。
【請求項５】
前記外部素材（２４）と前記２つの内部容器（３）とを、前記パッキングポケット（６２）内に前記挿入するステップが、
前記第３のパネル（１０’）を前記第２のパネル（１２’）に対して９０°折りたたむことにより、前記外部素材（２４）が「Ｌ字形」に折りたたまれるように、前記外部素材（２４）を、前記パッキングポケット（６２）内に挿入するステップと、
引き続いて、前記２つの内部容器（３）が、前記外部素材（２４）の前記第２のパネル（１２’）上に静止して置かれるように、前記２つの内部容器（３）を、前記パッキングポケット（６２）内に挿入するステップと、
を更に備える、
請求項２から４のいずれか１項に記載のパッキング方法。
【請求項６】
前記外部素材（２４）と前記２つの内部容器（３）とを、前記パッキングポケット（６２）内に前記挿入するステップが、
前記２つの内部容器（３）が、前記外部素材（２４）の前記第２のパネル（１２’）上に静止して置かれるように、前記２つの内部容器（３）と前記外部素材（２４）とを一緒に前記パッキングポケット（６２）内に挿入するステップを、更に備える、
請求項２から５のいずれか１項に記載のパッキング方法。
【請求項７】
前記外部素材（２４）と前記２つの内部容器（３）との、前記パッキングポケット（６２）内への挿入と同時に、前記第１のパネル（１１’）を、各前記内部容器（３）の底部壁（６）上に、前記第２のパネル（１２’）に対して９０°折りたたむステップを、更に備える、請求項６に記載のパッキング方法。
【請求項８】
前記第１のパネル（１１’）を９０°折りたたんだ後に、前記第３のパネル（１０’）を前記第２のパネル（１２’）に対して９０°折りたたむステップと、
前記第４のパネル（１２”）を、前記内部容器（３）の側部壁（１２）上に、前記第３のパネル（１０’）に対して９０°折りたたむステップと、
前記第５のパネル（１１”）を、前記既に折りたたまれている第１のパネル（１１’）上に、前記第４のパネル（１２”）に対して９０°折りたたむステップと、
を更に備える、請求項７に記載のパッキング方法。
【請求項９】
前記２つの内部容器（３）を、前記第２のパッキングユニット（４３）から前記第３のパッキングユニット（４４）へ、前記２つの内部容器（３）の向きを揃えて一緒にグループ化する転送ユニット（４５）により転送するステップを、更に備える、請求項１から８のいずれか１項に記載のパッキング方法。
【請求項１０】
前記２つの内部容器（３）を、前記転送ユニット（４５）上で反対方向それぞれにおいて９０°回転するステップと、
前記２つの回転された内部容器（３）を、互いに接触させて一緒にグループ化するステップと、
を更に備える、請求項９に記載のパッキング方法。
【請求項１１】
転送ユニット（４５）上で、「オンラインギャップ」、すなわち、前記内部容器（３）がないこと、を検出するステップと、
前記転送ユニット（４５）に、前記転送ユニット（４５）に接続されている充填装置（５４）により供給される補充用内部容器（３）を供給して、前記「オンラインギャップ」を充填して、２つの内部容器（３）の完全なグループを形成するステップ、または、２つの内部容器（３）のグループをまったく形成しないように、前記「オンラインギャップ」における前記内部容器（３）を前記転送ユニット（４５）から除去するステップと、
を備える、請求項１から１０のいずれか１項に記載のパッキング方法。
【請求項１２】
前記スペーサ（６６）を、前記内部容器（３）から離れた静止位置と、前記内部容器（３）の前記後部壁（８）の間に介在する作動位置と、の間で動かすステップを、更に備える、請求項１から１１のいずれか１項に記載のパッキング方法。
【請求項１３】
前記第１のパネル（１１’）が、各前記内部容器（３）の底部壁（６）上に、前記第２のパネル（１２’）に対して９０°折りたたまれるときに、保持装置（６５）を、各前記内部容器（３）の上部壁（３１）上に配置するステップを、更に備える、請求項１から１２のいずれか１項に記載のパッキング方法。
【請求項１４】
前記保持装置（６５）を、前記２つの内部容器（３）から離れた静止位置と、各前記内部容器（３）の前記上部壁（３１）に接触している作動位置と、の間で動かすステップを、更に備える、請求項１３に記載のパッキング方法。
【請求項１５】
タバコのスイングオープン式の硬いパケット（１）を製造するためのパッキング機械（３９）であって、前記硬いパケット（１）は、
タバコの包装されたグループをそれぞれ内包している、２つの内部パッケージ（２）と、
各前記内部パッケージ（２）をそれぞれ収納し、内部素材（１７）を折りたたむことにより形成される、２つの内部容器（３）と、
前記２つの内部容器（３）を収納し、２つの開いた側端部（１３）を有し、外部素材（２４）を折りたたむことにより形成される、外部容器（４）であって、前記外部素材（２４）が、
底部壁（１１）を形成する第１のパネル（１１’）と、
１つの側部壁（１２）を形成する第２のパネル（１２’）と、
上部壁（１０）を形成する第３のパネル（１０’）と、
他の側部壁（１２）を形成する第４のパネル（１２”）と、を有しており、
前記第１のパネル（１１’）が、各縦方向折りたたみ線（２５）により前記第１のパネル（１１’）から分離されている２つの接続タブ（２８）を有しており、
前記第２のパネル（１２’）が、各縦方向折りたたみ線（２５）により前記第２のパネル（１２’）から分離されている２つの第１の保持タブ（１６）を有しており、および、前記第４のパネル（１２”）が、各縦方向折りたたみ線（２５）により前記第４のパネル（１２”）から分離されている２つの第２の保持タブ（１６）を有しており、
前記第３のパネル（１０’）が、各縦方向折りたたみ線（２５）により前記第３のパネル（１０’）から分離されている２つの内部フラップ（２７）を有している、外部容器（４）と、
各前記内部容器（３）を前記外部容器（４）にそれぞれ接続し、前記第１のパネル（１１’）において形成されて、前記内部容器（３）が前記外部容器（４）の内部に挿入される閉じた位置と、前記内部容器（３）が前記外部容器（４）から少なくとも部分的に引き出される開いた位置と、の間で、前記内部容器（３）が回転することを可能にする、２つの接続蝶番（１４）と、
を備え、
前記パッキング機械（３９）は、
前記２つの内部パッケージ（２）を形成するための、第１のパッキングユニット（４０）と、
各前記内部パッケージ（２）を各前記内部素材（１７）上に置き、前記内部素材（１７）を前記内部パッケージ（２）の周りで折りたたんで前記２つの内部容器（３）を形成するための、第２のパッキングユニット（４３）と、
前記２つの内部容器（３）を前記外部素材（２４）上に並べて置き、前記外部素材（２４）を前記２つの内部容器（３）の周りで折りたたんで前記外部容器（４）を形成するための、第３のパッキングユニット（４４）と、
を備え、
前記パッキング機械（３９）は、
前記第３のパッキングユニット（４４）が、前記第１のパネル（１１’）が前記２つの内部容器（３）の前記底部壁（６）上に前記第２のパネル（１２’）に対して９０°折りたたまれるときに前記２つの内部容器（３）の前記後部壁（８）の間に挿入されるスペーサ（６６）を備える、ことを特徴とする、
パッキング機械。
【発明の詳細な説明】
【技術分野】
【０００１】
本発明は、タバコのスイングオープン式の硬いパケットを製造するためのパッキング方法と機械に関する。
【背景技術】
【０００２】
特許文献１は、タバコの、スイングオープン式の、硬いパケットを記述しており、このスイングオープン式パケットは、それぞれが包装されたタバコのグループを内包している、２つの内部パッケージと、それぞれが各内部パッケージを収納している、２つの内部容器と、２つの内部容器を収納し、２つの対向する開いた側端部を有している、外部容器と、２つの蝶番であって、２つの蝶番のそれぞれが、内部容器を外部容器に接続して、内部容器を、外部容器の内部に挿入されている閉じた位置と、外部容器から少なくとも部分的に引き出されている開いた位置と、の間で回転することを可能にする、２つの蝶番と、を備えている。各蝶番は、外部容器の開いた側端部において、内部容器の底部壁エッジと、外部容器の底部壁エッジと、に近接して配置されている。
【０００３】
特許文献１におけるタバコのパケットは、内部容器が容易に開く（すなわち、外部容器から容易に引き出される）という点に関して非常に人気があったが、これを既知のパッキング機械で製造することは、生産量に関して不満足なものであった。
【先行技術文献】
【特許文献】
【０００４】
【特許文献１】欧州特許第２０１７１９８Ｂ１号公報
【特許文献２】特許出願第ＩＴ２０１２ＢＯ０００６２号公報
【発明の概要】
【発明が解決しようとする課題】
【０００５】
本発明の目的は、タバコのスイングオープン式の硬いパケットを製造するための、パッキング方法と機械であって、上記の欠点を取り除くように設計され、特に低コストで容易に実現される、パッキング方法と機械とを提供することである。
【課題を解決するための手段】
【０００６】
本発明によれば、付随する請求項で主張されるような、タバコの、スイングオープン式の、硬いパケットを製造するための、パッキング方法と機械が提供される。
【図面の簡単な説明】
【０００７】
本発明の幾つかの非制限的な実施の形態が、付随する図面を参照して例により記述される。
【０００８】
【図１】完全に閉じた位置での、タバコの、スイングオープン式の、硬いパケットの、透視図を示している。
【図２】完全に開いた位置での、図１のタバコのパケットの、透視図を示している。
【図３】明確性のために部品を除去した、部分的に開いた位置での、図１のタバコのパケットの、前面図を示している。
【図４】図１のタバコのパケットの内部容器を形成する、内部素材の、平面図を示している。
【図５】図１のタバコのパケットの外部容器を形成する、外部素材の、平面図を示している。
【図６】明確性のために部品を除去した、本発明に係る、図１のタバコのパケットを製造するためのパッキング機械の、概略図を示している。
【図７】タバコのグループを包装するための、図６のパッキング機械のパッキングユニットの概略透視図を示している。
【図８】図６のパッキング機械のパッキングユニットの、パッキングホイール上での、図４の内部素材の折りたたみシーケンスの、概略透視図を示している。
【図９】前もって折りたたまれた後の、図５の外部素材の、平面図を示している。
【図１０】図６のパッキング機械の外部素材供給ユニットの概略平面図を示している。
【図１１】図６のパッキング機械のパッキングホイール上での、図５の外部素材の、折りたたみシーケンスの、概略透視図を示している。
【図１２】図１１のパッキングホイール上での折りたたみシーケンス中の、図５の外部素材の、透視図を示している。
【図１３】図１１のパッキングホイール上での折りたたみシーケンス中の、２つの内部容器が搭載されている、図５の外部素材の、透視図を示している。
【図１４】図１１のパッキングホイール上での折りたたみシーケンスの変形例における、図５の外部素材の、透視図を示している。
【図１５】保持装置とスペーサと共に、図１１のパッキングホイール上での、図５の外部素材の折りたたみシーケンスの、概略透視図を示している。
【図１６】図１５のパッキングホイール上での折りたたみシーケンス中の、２つの内部容器が搭載されている図５の外部素材の、透視図を示している。
【図１７】保持装置とスペーサの代替の実施の形態と共に、図１１のパッキングホイール上での、図５の外部素材の折りたたみシーケンスの、概略透視図を示している。
【図１８】図１７のパッキングホイール上での折りたたみシーケンス中の、２つの内部容器が搭載されている図５の外部素材の、透視図を示している。
【図１９】図１８の細部を部分的に拡大した、部分断面図を示している。
【図２０】図１１のパッキングホイールの代替の実施の形態の、概略透視図を示している。
【図２１】図２０のパッキングホイール上での、図５の外部素材の折りたたみシーケンスの、概略透視図を示している。
【図２２】図２０のパッキングホイールで挿入され、折りたたまれたときの、２つの内部容器が搭載されている図５の外部素材の、概略透視図を示している。
【図２３】図２０のパッキングホイールで挿入され、折りたたまれたときの、２つの内部容器が搭載されている図５の外部素材の、概略透視図を示している。
【図２４】図１１のパッキングホイール上のパッキングポケットの、別の実施の形態の、細部を示している。
【図２５】図１１のパッキングホイール上のパッキングポケットの、別の実施の形態の、細部を示している。
【図２６】図１１のパッキングホイール上のパッキングポケットの、更なる実施の形態の、細部を示している。
【図２７】図１１のパッキングホイール上のパッキングポケットの、更なる実施の形態の、細部を示している。
【発明を実施するための形態】
【０００９】
図１〜３における参照番号１は、タバコの、スイングオープン式の硬いパケットの、全体を示している。
【００１０】
図１〜３におけるタバコのパケット１は、２つの内部パッケージ２（図２）と、それぞれが内部パッケージ２を収納している、２つの平行六面体形状の硬い内部容器３と、内部容器３を収納している、平行六面体形状の硬い外部容器４と、を備えている。各内部容器３は外部容器４に蝶番で結合され、外部容器４の内部に完全に挿入された閉じた位置（図１）と、内部パッケージ２にアクセスするために、外部容器４から部分的に引き出されている開いた位置（図２）と、の間で、外部容器４に対して回転する。各内部パッケージ２は、幾つかの列に配置されているタバコのグループ（図示されてない）と、タバコのグループの周りで包装され、タバコのグループを完全に囲っている、フォイルラップのシートと、を備えている。
【００１１】
図３に示されているように、各内部容器３は、カップ形の平行六面体形状であり、内部パッケージ２へのアクセスのための開いた上端部５と、上端部５に対向している底部壁６と、前部壁７と、前部壁７に対向し且つ平行な後部壁８と、２つの対向する平行な側部壁９と、を備えている。
【００１２】
外部容器４もまた、平行六面体形状であり、上部壁１０と、上部壁１０に対向し且つ平行な底部壁１１と、２つの対向する平行な側部壁１２と、それぞれの内部容器３が、外部容器４から開いた位置に引き出され、また、外部容器４に挿入されて閉じた位置にされる、２つの対向する開いた側端部１３と、を備えている。
【００１３】
各内部容器３は、外部容器４の開いた側端部１３において、内部容器３の底部壁６のエッジと、外部容器４の底部壁１１のエッジと、の間で、蝶番１４により外部容器４に蝶番結合されている。
【００１４】
好ましい実施の形態においては、各内部容器３の後部壁８は前部壁７よりも高さが低く、これにより、閉じた位置においては、前部壁７は、外部容器４のそれぞれの開いた側端部１３を完全に閉じ、後部壁８が、外部容器４に対する内部容器３の蝶番１４の周りの回転を、外部容器４の上部壁１０と干渉して妨げることはない。また、各内部容器３の各側部壁９の上部部分は、前部壁７を後部壁８にスムーズに接続するような形状にされており、高さの違いを補っている。
【００１５】
タバコのパケット１は、外部容器４から各内部容器３が引き抜かれることを制限し、各内部容器３の外部容器４からの離脱を防止するための止め部を有しており、止め部は、各内部容器３に対して、側部壁９から内部容器３の外側へ向けて突出し、内部容器３の後部壁８に近接して配置されている、２つの保持タブ１５と、側部壁１２から外部容器４の内側へ向けて突出し、外部容器４の開いた側端部１３に近接して配置されている、２つの保持タブ１６と、を備えている。実際の使用においては、内部容器３が外部容器４に対して、蝶番１４の周りで回転されて開いた位置とされるときに、各保持タブ１５は、それぞれ、保持タブ１６の内部で摺動して、内部容器３が引き抜かれることを阻止する。
【００１６】
内部容器３を引き出すためには、タバコのパケット１のユーザは、片手で外部容器４を把持し、他方の手で内部容器３を把持して、外部容器４から内部容器３を引っ張らなければならない。図１と２に示されているように、内部容器３を容易に把持できるように、外部容器４の各側部壁１２は、各開いた側端部１３に近接している凹部を有しており、これにより、ユーザが、各内部容器３の側部壁９を把持して引っ張ることが可能になる。
【００１７】
図１〜３の実施の形態において、タバコのパケット１は、２つの内部容器３を備えており、各内部容器３は、外部容器４の内部に収納され、蝶番１４により外部容器４に蝶番結合され、開いた位置と閉じた位置との間で回転する。図示されていない異なる実施の形態においては、タバコのパケット１は、外部容器４の内部に収納され、蝶番１４により外部容器４に蝶番結合され、開いた位置と閉じた位置との間で回転する１つの内部容器３を備えている。この場合、外部容器４は、図１〜３の実施の形態における外部容器４の半分のサイズとなり、図１〜３の外部容器４の２つの開いた側端部１３の１つは、更なる側部壁により閉じられる。
【００１８】
図３に示されているように、各内部容器３は、蝶番３０により内部容器３に蝶番結合されて、内部容器３に対して、開いた上端部５を開く開いた位置と、開いた上端部５を閉じる閉じた位置と、の間で回転する、蓋部２９を備えている。
【００１９】
各蓋部２９は、蓋部２９が閉じられたときに、内部容器３の底部壁６に対向し且つ平行となる長方形の上部壁３１と、蓋部２９が閉じられたときに、内部容器３の後部壁８の延長部を形成する長方形の後部壁３２と、蓋部２９が閉じられたときに、内部容器３の側部壁９の延長部を形成する２つの三角形の側部壁３３と、を備えている。各蓋部２９の蝶番３０は、内部容器３の後部壁８の上部エッジを、蓋部２９の後部壁３２の底部エッジに接続する。
【００２０】
図３に示されている好ましい実施の形態において、各蓋部２９は、蓋部２９を外部容器４に接続して、これにより、内部容器３が外部容器４から引き出されたとき、または外部容器４に挿入されたときに、蓋部２９が外部容器４に接続されて蓋部２９を開閉する、制御構造３４を有している。言い換えれば、それぞれの制御構造３４により、内部容器３が引き出されたとき、または挿入されたときに、ユーザの手を借りずに各蓋部２９は「自動的に」開閉する。図３に示されているように、各制御構造３４は、外部容器４の上部壁１０のエッジから外部容器４の内部に向けて延伸している制御タブ３５と、蓋部２９の上部壁３１を通して形成され、制御タブ３５により係合されるスロット３６と、を備えている。
【００２１】
図４に示されているように、各内部容器３は、平坦な、実質的に細長い長方形の内部素材１７を折りたたむことにより形成され、内部素材１７の各部は、可能な場合は、内部容器３の対応する各部に対して、上付き記号が付けられた同じ参照番号で示されている。
【００２２】
内部素材１７は、２本の縦方向折りたたみ線１８と、数本の横方向折りたたみ線１９と、を有し、横方向折りたたみ線１９は、２本の縦方向折りたたみ線１８の間で、後部壁８を形成するパネル８’と、底部壁６を形成するパネル６’と、前部壁７を形成するパネル７’と、を画定している。
【００２３】
パネル７’は、横方向折りたたみ線１９に沿ってパネル７’に接続されている補強フラップ２０を有しており、補強フラップ２０は、パネル７’上に１８０°折りたたまれて、前部壁７の上部を補強する。
【００２４】
パネル８’は、２つの側翼部９’を有しており、側翼部９’は、側部壁９のそれぞれの内部部分を形成し、パネル８’の、互いに反対の側にそれぞれ配置されており、縦方向折りたたみ線１８により、パネル８’から分離されている。パネル７’は、２つの側翼部９”を有しており、翼部９”は、側部壁９のそれぞれの外部部分を形成し、パネル７’の、互いに反対の側にそれぞれ配置されており、縦方向折りたたみ線１８により、パネル７’から分離されている。パネル８’の各側翼部９’は、横方向折りたたみ線１９により側翼部９’から分離されているタブ２１を有しており、タブ２１は側翼部９’に対して９０°折りたたまれて、パネル６’の内部表面に固定される。保持タブ１５をそれぞれ内包している窓部２２は、各側翼部９’において形成され、各側翼部９”は、それぞれの保持タブ１５に重なるように設計されている、凹部２３を有している。
【００２５】
内部素材１７はまた、蓋部２９の後部壁３２を形成し、蝶番３０に沿ってパネル８’に接続されている、パネル３２’と、蓋部２９の上部壁３１を形成する、パネル３１’と、各側翼部３３’に対して９０°折りたたまれてパネル３１’の内部表面に固定され、スロット３６を内部から閉じる、タブ３７を有し、蓋部２９の側部壁３３を形成する、２つの側翼部３３’と、を備えている。より具体的には、各タブ３７は、スロット３６を完全には閉じないようにするための三角形の凹部を有しており、タブ３７は、制御タブ３５が挿入されると、スロット３６の内部で制御タブ３５を保持するように機能する。制御タブ３５をスロット３６内部に挿入するためには、タブ３７が弾性的に変形して、制御タブ３５を蓋部２９の上部壁３１に対して押すための圧力を与えるばねのように作用しなければならない、ということに留意することが重要である。
【００２６】
内部容器３を形成するために、パネル７’と８’とは、パネル６’に対して９０°折りたたまれ、側翼部９’は、パネル８’に対して９０°折りたたまれ、側翼部９”は、折りたたまれた側翼部９’上に、パネル７’に対して９０°折りたたまれる。
【００２７】
図５に示されているように、外部容器４は、平坦な、実質的に細長い長方形の外部素材２４を折りたたむことにより形成され、外部素材２４の各部は、可能な場合は、外部容器４の対応する各部に対して、上付き記号が付けられた同じ参照番号で示されている。
【００２８】
外部素材２４は、２本の縦方向折りたたみ線２５と、数本の横方向折りたたみ線２６と、を有し、横方向折りたたみ線２６は、２本の縦方向折りたたみ線２５の間で、底部壁１１の内部部分を形成するパネル１１’と、１つの側部壁１２を形成するパネル１２’と、上部壁１０を形成するパネル１０’と、他方の側部壁１２を形成するパネル１２”と、底部壁１１の外部部分を形成するパネル１１”と、を画定している。
【００２９】
パネル１０’は、２つの内部フラップ２７を有しており、内部フラップ２７は、パネル１０’の互いに反対の側にそれぞれ位置し、縦方向折りたたみ線２５によりパネル１０’から分離されており、パネル１０’上に１８０°折りたたまれて、上部壁１０を補強する。そして、それぞれの制御タブ３５を内包している窓部３８が、各内部フラップ２７に形成されている。
【００３０】
パネル１２’と１２”とは、それぞれ、２つの保持タブ１６を有しており、保持タブ１６は、パネル１２’と１２”の、互いに反対の側にそれぞれ位置し、縦方向折りたたみ線２５により、パネル１２’と１２”から分離され、パネル１２’と１２”上に１８０°折りたたまれる。
【００３１】
パネル１１’は、２つの接続タブ２８を有しており、接続タブ２８は、パネル１１’の、互いに反対の側にそれぞれ位置し、縦方向折りたたみ線２５により、パネル１１’から分離され、パネル１１’上に１８０°折りたたまれる。図５の実施の形態において、蝶番１４は、縦方向折りたたみ線２５から離れており、このため、内部容器３を、外部容器４に対して、縦方向折りたたみ線２５に平行な折りたたみ線により形成されている蝶番１４の周りで回転するためには、パネル１１’と１２”とを分離している横方向折りたたみ線２６の、蝶番１４と、隣接する縦方向折りたたみ線２５と、の間の部分は、切断により形成しなければならない。
【００３２】
図示されてない代替の実施の形態においては、蝶番１４は、縦方向折りたたみ線２５と一致し、各接続タブ２８は、それぞれの内部容器３の底部壁６に接着されて内部容器３を外部容器４に蝶番結合し、これにより、各接続タブ２８をパネル１１’から分離している縦方向折りたたみ線２５の部分は、それぞれの内部容器３の蝶番１４を形成する。
【００３３】
外部容器４を形成するために、保持タブ１６は、パネル１２’と１２”との上に１８０°折りたたまれ、内部フラップ２７は、パネル１０’上に１８０°折りたたまれ、接続タブ２８は、パネル１１’上に１８０°折りたたまれ、パネル１２’と１２”とは、パネル１０’に対して９０°折りたたまれ、パネル１１’は、パネル１２’に対して９０°折りたたまれ、パネル１１”は、折りたたまれたパネル１１’上に、パネル１２”に対して９０°折りたたまれる。
【００３４】
図６は、上述し、図１〜３に示されているような、タバコのパケット１を製造するためのタバコパッキング機械３９を示している。
【００３５】
パッキング機械３９は、フォイルラップのシート４１でそれぞれのタバコのグループ４２の周りを包むことにより内部パッケージ２を製造するための、パッキングユニット４０（図７に、より明確に示されている）と、内部素材１７をそれぞれの内部パッケージ２の周りで折りたたむことにより内部容器３を製造するための、パッキングユニット４３と、外部素材２４をそれぞれの内部容器３の対の周りで折りたたむことにより外部容器４を製造するための、パッキングユニット４４と、転送ユニット４５であって、パッキングユニット４３の出力ステーション４６から内部容器３のそれぞれの対を受け取り、同時に各対の中で内部容器３の向きを揃えて一緒にグループ化しながら、内部容器３の対をパッキングユニット４４の入力ステーション４７に供給する、転送ユニット４５と、を備えている。
【００３６】
図７に示されているように、パッキングユニット４０は、タバコのグループを形成し、それぞれがホッパーの出口からタバコのグループ４２を受け取る幾つかのポケットを有している、グループ形成ホイールと、２本の真っ直ぐで、平行で横に並んだラインを有するパッキングコンベアであって、このコンベアの上で、連続している細長い一片から切断されたフォイルラップのシート４１がタバコのグループ４２の周りを包むことにより、内部パッケージ２が形成され、そして形成された内部パッケージ２が、パッキングユニット４３に供給される、パッキングコンベアと、を備えている。
【００３７】
図６に示されているように、パッキングユニット４３は、水平パッキングホイール４８を備えており、水平パッキングホイール４８は、垂直な回転軸の周りで段階的に回転し、パッキングポケット４９の８つの対を有しており、８つのステーションＳ１〜Ｓ８を通って周期的に回転する。
【００３８】
図８に示されているように、ステーションＳ１において、パッキングポケット４９の各対は、それぞれが供給ユニット５０（図６）から、それぞれのパッキングポケット４９内に下方に供給される２つの内部素材１７を受け取り、これにより、パネル８’はパッキングポケット４９の底部壁上に静止して置かれ、パネル６’と２つの側翼部９’は、パネル８’に対して９０°折りたたまれる。各内部素材１７を、それぞれのパッキングポケット４９内に下方に供給する前に、供給ユニット５０は幾つかの、前もって折りたたむ操作を行う。すなわち、補強フラップ２０は、１８０°折りたたまれてパネル７’に接着され、タブ２１は、翼部９’に対して９０°折りたたまれて、（最終的にパネル６’に接着するように）接着剤（典型的には、熱間速乾速効性接着剤）が、これらの外部表面上に塗布される。
【００３９】
ステーションＳ２（ステーションＳ１のすぐ下流）においては何の操作も行われない。
【００４０】
ステーションＳ３（ステーションＳ２のすぐ下流）において、パッキングユニット４０からの２つの内部パッケージ２が、パッキングポケット４９の対応する対において、２つの内部素材１７内に縦方向に挿入される。
【００４１】
ステーションＳ４（ステーションＳ３のすぐ下流）において、各内部素材１７のタブ３７が、内部パッケージ２の上部壁上に、翼部３３’に対して９０°折りたたまれる。
【００４２】
ステーションＳ５（ステーションＳ４のすぐ下流）において、糊塗布装置５１が、（最終的にタブ３７をパネル３１’に接着するため）接着剤（典型的には、熱間速乾速効性接着剤）を、各内部素材１７のタブ３７の外部表面上に噴霧し、各内部素材１７のパネル７’は、パネル６’に対する９０°の折りたたみを開始する。
【００４３】
ステーションＳ６（ステーションＳ５のすぐ下流）において、各内部素材１７のパネル３１’は、パネル３１’が接着される、折りたたまれているタブ３７上に、パネル３２’に対して９０°折りたたまれ、各内部素材１７のパネル７’は、パネル６’に対する９０°の折りたたみを完了する。
【００４４】
ステーションＳ７（ステーションＳ６のすぐ下流）において、２つの内部素材１７が、それぞれの内部パッケージ２と共に、それぞれのパッキングポケット４９から排出されて、出力ステーション４６に供給され、ここで、糊塗布装置５２が、接着剤（典型的には、熱間速乾速効性接着剤）を各内部素材１７の翼部９”（または翼部９’）上に噴霧し、そして翼部９”は、パネル７’に対して９０°折りたたまれて、内部素材１７の折りたたみを完了し、従って、内部容器３が完成する。
【００４５】
ステーションＳ８（ステーションＳ７のすぐ下流）においては何の操作も行われない。
【００４６】
好ましい実施の形態においては、内部容器３の各対を形成する２つの内部素材１７は、内部素材１７の外部表面上に印刷されているグラフィックス（画像および書かれたもの）のタイプおよび／または位置に関して、異なる。２つの内部容器３は、タバコのパケット１の内部で異なる配置をされているので（１つはパケット１の「右」、他方はパケット１の「左」）、各内部素材１７の外部表面上に印刷されているグラフィックスは、対応する内部容器３の実際の位置に対応していなければならず、各対の２つの内部容器３は、相互に交換可能ではない。２つの「異なる」内部容器３（構造的には同一だが、内部素材１７の外部表面上に印刷されているグラフィックスに関して異なる）を得るためには、供給ユニット５０は、２つの異なる内部素材１７を、ステーションＳ１においてそれぞれのパッキングポケット４９に供給しなくてはならず、このため、異なる内部素材１７が供給される２つの異なるホッパーを備えている、２つの異なる供給経路を有している。
【００４７】
供給ユニット５０の２つのホッパーは、２つの別々のパレット（すなわち、それぞれが内部素材１７の１つのタイプを内包している）か、単一のパレット（この上には、内部素材１７の２つのタイプのパックが交互の列に配置されている）により、内部素材１７のパックが供給されていてもよい。内部素材１７の両者のタイプに対して１つのパレット使用することは、２つの別々のパレットを使用するときとは反対に、２つではなく、１つのパレット取り外し装置のみが必要であるという利点がある。
【００４８】
図６に示されているように、一度に２つの内部容器３が、パッキングユニット４３の出力ステーション４６から転送ユニット４５に供給され、転送ユニット４５により、内部容器３は、向きが揃えられて一緒にグループ化され、パッキングユニット４４の入力ステーション４７に転送される。より具体的には、転送ユニット４５は、各内部容器３を縦軸の周りで９０度回転する、マニピュレータ５３を備えている。マニピュレータ５３は、２つの内部容器３を、反対方向に９０度ずつ回転する（すなわち、１つの内部容器３を時計回り方向に９０度、他方の内部容器３を反時計回り方向に９０度回転する）、ということに留意することが重要である。回転された後、２つの内部容器３は、一緒にグループ化される。すなわち、後部壁８が互いに接触するように横方向に押され、マニピュレータ５３の下流で、グループ化された２つの内部容器３は、パッキングユニット４４の入力ステーション４７に供給される。
【００４９】
図６において示されている好ましい実施の形態において、転送ユニット４５は、マニピュレータ５３の上流に配置されている２つの充填装置５４を備えており、各充填装置５４は、幾つかの対応する内部容器３を格納しており、内部容器３がないことが分かると、対応する内部容器３を転送ユニット４５に供給する。内部パッケージ２を形成するときに、すなわち、内部素材１７を折りたたむときに、材料（すなわち、タバコのグループ４２、フォイルラップのシート４１、または内部素材１７）の何れかが供給されなかったり、品質制御に適合しない場合は、「オンラインギャップ」（すなわち、内部容器３がない空のシート）という結果になり、もし、これが、パッキングユニット４４に供給されると、不完全なタバコのパケット１（すなわち、１つの内部容器３しか内含されていない）という結果になり、これは、不良品とされなければならない。「オンラインギャップ」（すなわち、内部容器３がない空のシート）が転送ユニット４５に上で検出されると、対応する充填装置５４は、転送ユニット４５に、充填装置５４の内部の格納部から内部容器３を供給して、「ギャップ」を充填して、確実に、完全なタバコのパケット１とする。または、「オンラインギャップ」（すなわち、内部容器３がない空のシート）が転送ユニット４５上で検出されると、対応する充填装置５４は、転送ユニット４５上の「オンラインギャップ」から存在している内部容器３を除去してもよく、２つの内部容器３のグループをまったく形成しないようにもできる。このようすれば、不完全なタバコのパケット１は回避され（実際に、タバコのパケット１は形成されない）、転送ユニット４５から除去された存在していた内部容器３は無駄にせずに再び使用できる。
【００５０】
より単純な、部分的に手動による実施の形態においては、内部容器３は、手動で充填装置５４内に挿入される。より複雑な、完全自動の実施の形態においては、例えば、特許文献２に記述されているように、充填装置５４が転送ユニット４５から内部容器３を自動的に除去する。
【００５１】
図６に示されているように、パッキングユニット４４は、図９に示されているような、部分的に前もって折りたたまれている外部素材２４をパッキングユニット４４に供給する供給ユニット５５に接続されており、２つの接続タブ２８は、２本の縦方向折りたたみ線２５の周りで、パネル１１’上に１８０°折りたたまれ、４つの保持タブ１６は、２本の縦方向折りたたみ線２５の周りで、対応するパネル１２’と１２”上に１８０°折りたたまれ、２つの内部フラップ２７は、２本の縦方向折りたたみ線２５の周りで、パネル１０’上に１８０°折りたたまれている。図９の実施の形態において（蝶番１４は縦方向折りたたみ線２５から離れている）、外部素材２４は前もって折りたたまれているので、接続タブ２８は、接着剤５６（図１０）によりパネル１１’に接着され、保持タブ１６は、接着剤５７（図１０）により対応するパネル１２’と１２”に接着され、内部フラップ２７は、接着剤５８（図１０）によりパネル１０’に接着されている。代替の実施の形態においては、蝶番１４は縦方向折りたたみ線２５に一致しており、接続タブ２８はパネル１１’に接着されていない（すなわち、接着剤５６は塗布されず、接着剤５７と接着剤５８が塗布される）。
【００５２】
図１０に示されているように、供給ユニット５５は、外部素材２４がホッパーの底部から引き抜かれるステーションＳ９と、糊塗布装置５９が、接着剤５６、５７、および５８を外部素材２４に塗布するステーションＳ１０と、折りたたみ装置６０が、タブ１６と２８とフラップ２７を、縦方向折りたたみ線２５の周りに１８０度折りたたむステーションＳ１１と、前もって折りたたまれた外部素材２４がパッキングユニット４４に供給されるステーションＳ１２と、を備えている。
【００５３】
異なる実施の形態においては、外部素材２４はパッキング機械３９とは別の場所で（すなわち、供給ユニット５５に供給される前に）、例えば、外部素材２４が作製される工場において前もって折りたたまれ、これにより、供給ユニット５５を大幅に簡素化する。何れの場合でも、外部素材２４は、図９に示されているように前もって折りたたまれてパッキングユニット４４に供給される。
【００５４】
図６に示されているように、パッキングユニット４４は水平パッキングホイール６１を備えており、水平パッキングホイール６１は、垂直な回転軸の周りで段階的に回転し、８つのパッキングポケット６２を有し、８つのステーションＳ１３〜Ｓ２０を通して周期的に回転する。
【００５５】
図１１に示されているように、ステーションＳ１３において、図９に示されているような、部分的に前もって折りたたまれている外部素材２４が、供給ユニット５５からパッキングポケット６２内に下方に供給され、これにより、パネル１２’はパッキングポケット６２の底部壁上に静止して置かれ、パネル１０’は、パネル１２’に対して９０°折りたたまれて、図１２に示されているようなＬ字型外部素材２４が形成される。
【００５６】
ステーションＳ１４（ステーションＳ１３のすぐ下流）においては何の操作も行われない。
【００５７】
ステーションＳ１５（ステーションＳ１４のすぐ下流）において、転送ユニット４５からの内部容器３のグループ化された対が、図１３に示されているように、対応するパッキングポケット６２においてＬ字型に折りたたまれた外部素材２４内に縦方向に挿入される。
【００５８】
ステーションＳ１５とステーションＳ１６（ステーションＳ１５のすぐ下流）の間で、糊塗布装置６３が接着剤（典型的には、熱間速乾速効性接着剤）を、外部素材２４の接続タブ２８の外部表面上に噴霧（これにより、接続タブ２８が最終的には内部容器３の底部壁６に接着する）、または内部容器３の底部壁６上に噴霧する。
【００５９】
ステーションＳ１６において、パネル１１’がパネル１２’に対して、内部容器３の底部壁６上に９０°折りたたまれる（これにより、接続タブ２８が、内部容器３の底部壁６に接着する）。
【００６０】
ステーションＳ１７（ステーションＳ１６のすぐ下流）において、パネル１２”がパネル１０’に対して、内部容器３の側部壁９上に９０°折りたたまれる。
【００６１】
ステーションＳ１７とステーションＳ１８（ステーションＳ１７のすぐ下流）において、糊塗布装置６４は、接着剤（典型的には、熱間速乾速効性接着剤）を外部素材２４のパネル１１’の外部表面上に噴霧（これにより、パネル１１’は最終的にパネル１１”に接着する）、またはパネル１１”の内部表面上に噴霧する。
【００６２】
ステーションＳ１８において、パネル１１”がパネル１２”に対して、折りたたまれているパネル１１’上に９０°折りたたまれて、外部素材２４の折りたたみが完了し、従って、外部容器４が完成する。
【００６３】
ステーションＳ１９（ステーションＳ１８のすぐ下流）において、外部容器４はパッキングポケット６２から半径方向に排出されて、パッキングユニット４４の出力ステーションに供給される。
【００６４】
ステーションＳ２０（ステーションＳ１９のすぐ下流）においては何の操作も行われない。
【００６５】
図６の実施の形態においては、パッキングユニット４０と４３は、２生産ラインのユニットであり、すなわちそれぞれが２つの内部パッケージ２と２つの内部容器３を一度に処理する。図示されてない代替の実施の形態においては、パッキングユニット４０と４３は１生産ラインのユニットであり、すなわち、それぞれが１つの内部パッケージ２と１つの内部容器３を一度に処理するので、転送ユニット４５のグループ化はより複雑となり、また、パッキングユニット４４に供給するための、横に並んだ内部容器３の対を形成するために、１つの内部容器３を、縦方向に他の内部容器３に対して動かすことが含まれる。図示されてない他の実施の形態は、パッキングユニット４０と４３の２セットを備えており、それぞれが１つの内部容器３を一度に製造し、転送ユニット４５は第１のパッキングユニット４３（対応する第１のパッキングユニット４０と共に作動する）から１つの内部容器３を受け取り、第２のパッキングユニット４３（対応する第２のパッキングユニット４０と共に作動する）から他の内部容器３を受け取り、２つの内部容器３を一緒にグループ化して、パッキングユニット４４に供給するための、横に並んだ内部容器３の対を形成する。
【００６６】
内部容器３の各対を形成するために１生産ラインのパッキングユニット４０と４３で、同一でない内部素材１７を取り扱うときは、供給ユニット５０は、２つのタイプの内部素材１７を交互に供給し、内部素材１７の正しい並び順をチェックするための光学制御装置と、如何なる「不良品の」内部素材１７をも削除して、内部素材１７が正しい並び順でパッキングホイール４８に供給されることを確実にするための不良品拒絶装置と、を備えている。
【００６７】
熱間速乾速効性接着剤が使用されているので、図で示されている実施の形態は、パッキングユニット４３および／またはパッキングユニット４４の下流に乾燥コンベアを有していない。しかし、冷間遅乾遅効性ビニル（典型的には水性）接着剤が使用されると、既知の乾燥コンベアが、パッキングユニット４３および／またはパッキングユニット４４の下流に設けられる。
【００６８】
図６と図１１〜１３の実施の形態においては、外部素材２４のパネル１２’はパッキングポケット６２の底部壁上に静止して置かれる。図１４の代替の実施の形態においては、外部素材２４のパネル１２”はパッキングポケット６２の底部壁上に静止して置かれ、パネル１２’はステーションＳ１６において、パネル１０’に対して９０°折りたたまれ、パネル１１’はステーションＳ１７において、パネル１２’に対して内部容器３の底部壁６上に９０°折りたたまれ、パネル１１”はステーションＳ１８において、パネル１２”に対して、折りたたまれたパネル１１’上に９０°折りたたまれ、接着剤を接続タブ２８上に噴霧するための糊塗布装置６３は、ステーションＳ１６とＳ１７との間に配置され、接着剤をパネル１１’の外部表面上に噴霧するための糊塗布装置６４は、ステーションＳ１７とＳ１８との間に配置されている。
【００６９】
図１５と１６の実施の形態において、パッキングユニット４４は、パネル１１’がパネル１２’に対して、内部容器３の底部壁６上に９０°折りたたまれるときに（すなわちステーションＳ１６において）、内部容器３の蓋部２９の上部壁３１上に嵌合して内部容器３を縦方向に保持し、接続タブ２８を強固に内部容器３の底部壁６に接着するための、パネル１１’と内部容器３の底部壁６上の十分な圧力を確実にする保持装置６５を備えている。保持装置６５がないと、内部容器３はパネル１０’（図１６に明確に示されているように、パネル１０’から内部容器３は分離されている）に向かって滑る可能性があり、このため、十分な圧力がパネル１１’と内部容器３の底部壁６に加えられるのが阻止されてしまう。
【００７０】
図１５と１６の実施の形態において、パッキングユニット４４は、パネル１１’がパネル１２’に対して、内部容器３の底部壁６上に９０°折りたたまれるときに（すなわちステーションＳ１６において）、内部容器３の後部壁８間に嵌入して、内部容器３の底部壁６が接続タブ２８に接着されるときに、２つの内部容器３を所与の距離だけ離すように保ち、これにより、内部容器３を正しい位置に保つ、すなわち、閉じた位置において内部容器３がわずかにでも開くことを阻止するスペーサ６６を備えている。
【００７１】
図１５と１６の実施の形態において、保持装置６５とスペーサ６６は、共通支持体６７上のそれぞれの直交エッジにより画定されており、共通支持体６７は、内部容器３の上方へ持ち上げられた静止位置（図１５と１６）と、保持装置６５が内部容器３の蓋部２９の上部壁と外部素材２４のパネル１０’の間に挿入され、スペーサ６６が内部容器３の後部壁８の間に挿入された状態で、内部容器３の側部壁９上に実質的に静止して置かれる作動位置（図示されてない）と、の間で、垂直に（すなわち、外部素材２４のパネル１２’に直交して）移動する。
【００７２】
パッキングポケット６２がステーションＳ１６に到達すると、支持体６７は、静止位置から作動位置へ垂直に移動し、支持体６７が作動位置にあるときのみ、パネル１１’はパネル１２’に対して、内部容器３の底部壁６上に９０°折りたたまれ、パネル１１’が折りたたまれると、支持体６７は作動位置から静止位置に垂直に移動して、内部容器３を解放して、パッキングホイール６１の回転を可能にする。
【００７３】
図２４〜２７に示されている異なる実施の形態において、保持装置６５は、各パッキングポケット６２の一部を形成し（すなわち、各パッキングポケット６２に嵌合し）、内部容器３に向けて（すなわち、内部容器３の「最も高い」地点であり、外部容器４から少なくとも部分的には突出している、内部容器３の前部壁７の上部に向けて）延伸して、内部容器３を縦方向に押す固定（可動でもよい）本体を備えている。図２４と２５の実施の形態においては、保持装置６５はパッキングポケット６２上の「段差」により画定されており、この「段差」により内部容器３の前部壁７の上部が押されて、内部容器３が下方に押される。図２６と２７の実施の形態においては、保持装置６５はパッキングポケット６２上の「突出部」により画定されており、この「突出部」により内部容器３の前部壁７の上部が押されて、内部容器３が下方に押される。
【００７４】
図１７、１８、および１９は、保持装置６７とスペーサ６６の変形例を示しており、この変形例は、２つの横に並んだ支持体６７、すなわち、１つの内部容器３に作用する保持装置６５を支持する可動支持体６７ａと、１つの内部容器３に作用する保持装置６５と、２つの内部容器３の後部壁８の間に嵌入するスペーサ６６の両者を支持する可動支持体６７ｂと、を備えている（図１９に明確に示されているように）。
【００７５】
更なる実施の形態（図示されてない）は、保持装置６５のみを有し、すなわちスペーサ６６を有しておらず、支持体６７は必ずしも可動である必要はなく、この場合においては、保持装置６５は、パッキングホイール６１の回転により内部容器３と係合し、内部容器３を解放する。
【００７６】
図２０と２１は、パッキングユニット４４のパッキングホイール６１の異なる実施の形態を示しており、図６と１１の実施の形態に示されているように水平に設置され、垂直の回転軸の周りを段階的に回転するのとは反対に、パッキングホイール６１は垂直に設置され、水平軸の周りを段階的に回転する。
【００７７】
図２０に示されているように、パッキングホイール６１は８つのパッキングポケット６２を、８つのステーションＳ２１〜Ｓ２８を通して周期的に回転させる。
【００７８】
図２０に示されているように、ステーションＳ２１の上流で、糊塗布装置６３は接着剤（典型的には、熱間速乾速効性接着剤）を、外部素材２４の接続タブ２８の内部表面上に噴霧（これにより接続タブ２８が最終的に内部容器３の底部壁６に接着する）、または内部容器３の底部壁６上に噴霧する。
【００７９】
図２０と２１に示されているように、ステーションＳ２１において、パッキングポケット６２は、部分的に折りたたまれた外部素材２４（図９に示されているような）と、内部容器３のグループ化された対を、転送ユニット４５から同時に受け取る。より具体的には、ステーションＳ２１において、外部素材２４と、内部容器３の対は、パッキングポケット６２内へ上方に向けて一緒に挿入され、これにより、外部素材２４のパネル１２’はパッキングポケット６２の底部壁上に静止して置かれ、２つの内部容器３は外部素材２４のパネル１２’上に静止して置かれ、外部素材２４のパネル１１’はパネル１２’に対して、内部容器３の底部壁上に９０°折りたたまれて、接続タブ２８を内部容器３の底部壁６に接着する。
【００８０】
ステーションＳ２２（ステーションＳ２１のすぐ下流）において、パネル１０’はパネル１２’に対しての９０°の折りたたみを開始する。
【００８１】
ステーションＳ２３（ステーションＳ２２のすぐ下流）において、パネル１０’はパネル１２’に対しての９０°折りたたみを終了する。
【００８２】
ステーションＳ２４（ステーションＳ２３のすぐ下流）においては何の操作も行われない。
【００８３】
ステーションＳ２５（ステーションＳ２４のすぐ下流）において、パネル１２”はパネル１０’に対しての９０°の折りたたみを開始する。
【００８４】
ステーションＳ２６（ステーションＳ２５のすぐ下流）において、パネル１２”はパネル１０’に対しての９０°の折りたたみを終了する。
【００８５】
ステーションＳ２７（ステーションＳ２６のすぐ下流）において、糊塗布装置６４は接着剤（典型的には、熱間速乾速効性接着剤）を、外部素材２４のパネル１１’の外部表面上に噴霧（これによりパネル１１’は最終的にパネル１１”に接着する）、またはパネル１１”の内部表面上に噴霧し、外部容器４はパッキングポケット６２から半径方向に排出され、外部素材２４のパネル１１”はパネル１２”に対して、折りたたまれているパネル１１’上に９０°折りたたまれて外部素材２４の折りたたみを完了し、これにより外部容器４が完成する。
【００８６】
ステーションＳ２８（ステーションＳ２７のすぐ下流）においては何の操作も行われない。
【００８７】
図２２と２３に示されている好ましい実施の形態において、内部容器３のグループ化された対は、保持装置６５とスペーサ６６（これらの機能は既に説明されている）の両者を備えている水平な、垂直方向に移動する支持体６７を使用してパッキングポケット６２内に上方に向けて挿入される。この場合、保持装置６５とスペーサ６６を支持することに加えて、支持体６７は、昇降装置として作用し、すなわち、プッシャ（押す装置）の一部を形成し、外部素材２４も捕捉しつつ、内部容器３のグループ化された対を持ち上げて、パッキングポケット６２内に上方に向けて挿入する。
【００８８】
上記の記述の中で繰り返し参照された熱間接着剤は、それ自身だけで使用されても（すなわち、１つのタイプの接着剤のみが塗布される）、または、冷間ビニル（典型的には水性）接着剤と共に使用されても、すなわち、２つの異なるタイプの接着剤が共に塗布されるか、またはすぐに続けて一方を他方に並べて塗布するかの何れかであってもよいことに留意することは重要である。
【００８９】
上記の記述においては、複数のパッキングユニット４０、４３、および４４を備えている１つのパッキング機械３９を参照した。図示されている配置は、パッキングユニット４０と４３とが第１の独立のパッキング機械を形成することができ（すなわち、それ自身の独立したフレームと主要モータを備えている）、パッキングユニット４４が、転送ユニット４５（これもまた内部容器３の中間補充格納部を備えてもよい）により第１のパッキング機械に接続される第２の独立のパッキング機械を形成できる（すなわち、それ自身の独立したフレームと主要モータを備えている）、という点において、純粋に「形式的」であるということに留意することが重要である。言い換えれば、パッキング機械３９は、転送ユニット４５により接続される２台の別々のパッキング機械を備えることもできる。更に、上述されているように、２つのラインの第１のパッキング機械（パッキングユニット４０と４３を備えている）を、転送ユニットによって平行に接続されている１つのラインの第１のパッキング機械２台（それぞれがパッキングユニット４０と４３を備えている）と置き換えることもできる。
【００９０】
記述されたパッキング方法と機械３９は多数の利点を有している。
【００９１】
特に、このパッキング方法と機械３９は高い効率を提供するので、高い出力速度においても、高品質のタバコのパケット１を製造することを提供する。
【００９２】
パッキング方法と機械３９はまた、既存のパッキング機械の多数の構成要素部品を採用することにより、安価で実現が容易でもある。
【図１】
0005933116.tif 000002
【図２】
0005933116.tif 000003
【図３】
0005933116.tif 000004
【図４】
0005933116.tif 000005
【図５】
0005933116.tif 000006
【図６】
0005933116.tif 000007
【図７】
0005933116.tif 000008
【図８】
0005933116.tif 000009
【図９】
0005933116.tif 000010
【図１０】
0005933116.tif 000011
【図１１】
0005933116.tif 000012
【図１２】
0005933116.tif 000013
【図１３】
0005933116.tif 000014
【図１４】
0005933116.tif 000015
【図１５】
0005933116.tif 000016
【図１６】
0005933116.tif 000017
【図１７】
0005933116.tif 000018
【図１８】
0005933116.tif 000019
【図１９】
0005933116.tif 000020
【図２０】
0005933116.tif 000021
【図２１】
0005933116.tif 000022
【図２２】
0005933116.tif 000023
【図２３】
0005933116.tif 000024
【図２４】
0005933116.tif 000025
【図２５】
0005933116.tif 000026
【図２６】
0005933116.tif 000027
【図２７】
0005933116.tif 000028